(57)【特許請求の範囲】
【請求項１】
複数本の円柱状の電池モジュールが複数列の格子状に配列されてなる組電池を電池ケース内に収蔵し、
電池ケースに設けられた冷却風導入口から電池ケース内に冷却風を導入し、電池モジュールを冷却風により冷却し、電池ケースに設けられた冷却風導出口から電池ケース外に冷却風を排出する電池冷却構造であって、
電池ケース内部には、最上流列の電池モジュールよりも上流となる領域に、電池ケース内部を下流側と上流側に区画するような流れ制御板が設けられており、
流れ制御板には流れ上流側と下流側とを互いに連通する貫通穴が設けられると共に、
流れ制御板からは、互いに隣接する最上流列の電池モジュールの間の空間に達するような複数の仕切板がそれぞれの電池モジュールの間の空間に対して立設されて、
流れ制御板に設けられる貫通穴が、電池モジュールの一方の側に偏在して設けられ、
前記一方の側において、電池モジュールと仕切り板との間隔ｈが、電池モジュールの直径Ｄに対し、０．０４≦ｈ／Ｄ≦０．１２  とされたことを特徴とする電池冷却構造。
【請求項２】
電池モジュールの長さ方向に沿って見た断面における貫通穴の大きさＬが、前記一方の側における電池モジュールと仕切り板との間隔ｈに対し、０．８５≦Ｌ／ｈ≦２．０  とされたことを特徴とする請求項１に記載の電池冷却構造。
【請求項３】
最上流列の電池モジュールと、2列目の電池モジュールとの間の間隔ｈ２が、電池モジュールの直径Ｄに対し、０．０５≦ｈ２／Ｄ≦０．１９  とされたことを特徴とする請求項１または請求項２に記載の電池冷却構造。
【発明の詳細な説明】
【技術分野】
【０００１】
本発明は、電池（特に組電池）の冷却構造に関する。特に電池を冷却風によって冷却する空冷式の電池冷却構造に関する。
【背景技術】
【０００２】
電気自動車やハイブリッド自動車などには、動力源として二次電池を集合させた組電池が用いられている。充電や放電の過程において、電池が過熱したり電池間の温度差が大きくなったりすると、電池の性能が低下したり、電池が損傷することが起こるため、通常、これら組電池を電池ケースに収納して、冷却風を電池ケース内に送り込んで組電池を冷却することが行われる。
【０００３】
冷却にあたっては、組電池を構成する複数の電池の温度を極力均一化し、かつ、効率的に電池を冷却することが必要であり、そのために、さまざまな電池冷却構造が提案されるに至っている。
例えば、特許文献１には、電池ケースの冷却風導入口側に、複数の導風板を設けて、導風板の間を通過した冷却風が、電池モジュールの間に向かうようにした冷却構造が開示されている。また、特許文献２には、対向する壁の間に電池モジュールを配置し、電池モジュールの間の位置に対向壁を突出した部分を設け、この突出部の高さを風下側で高くした電池冷却構造が開示されている。
【先行技術文献】
【特許文献】
【０００４】
【特許文献１】特開２００４−７１３９４号公報
【特許文献２】特開２００７−６６７７１号公報
【発明の概要】
【発明が解決しようとする課題】
【０００５】
電池冷却構造においては、電池モジュールが上流側から下流側に向けて複数列をなして配列されることが多いが、この場合、冷却風が上流側の電池モジュールを冷却することで温まってしまい、下流側の電池モジュールの冷却が不十分となって、電池温度の均一化が不十分となりやすい。
上記文献に開示された従来の技術もまた、こうした電池温度均一化の課題を解決することを意図する発明とも位置づけられるが、本発明は、他の技術的手段により課題解決を図るものである。
【０００６】
即ち、本発明の目的は、組電池を構成する電池モジュールの温度がより均一になるように冷却できるような電池冷却構造を提供することにある。
【課題を解決するための手段】
【０００７】
本発明の発明者が電池温度の均一化が不十分となる原因を調査したところ、電池モジュールが複数列の格子状に配置されていると、図１３に示すように、上流側電池モジュールを冷却した冷却風をうまくコントロールできず、中流および下流側の電池モジュールの周辺では冷却風が素通りしてしまい、それら電池モジュール周辺に流れがよどんだ領域が生じやすいことを発見した。そしてこのよどみ領域の存在が、中流および下流側の電池モジュールの冷却性を悪化させる要因となっていることを突きとめた。
【０００８】
さらに、本発明の発明者は、鋭意検討の結果、電池ケース内部に特定の構造の流れ制御板を設けると、驚くべきことに、格子状に配列された電池モジュールの間を流れる冷却風の流れを蛇行させることができ、冷却風の蛇行によって、電池モジュール周りの流れのよどみ領域の発生を効果的に予防でき、組電池を構成する電池の温度をより均一化できることを知見し、本発明を完成させた。
【０００９】
本発明は、複数本の円柱状の電池モジュールが複数列の格子状に配列されてなる組電池を電池ケース内に収蔵し、電池ケースに設けられた冷却風導入口から電池ケース内に冷却風を導入し、電池モジュールを冷却風により冷却し、電池ケースに設けられた冷却風導出口から電池ケース外に冷却風を排出する電池冷却構造であって、
電池ケース内部には、最上流列の電池モジュールよりも上流となる領域に、電池ケース内部を下流側と上流側に区画するような流れ制御板が設けられており、流れ制御板には流れ上流側と下流側とを互いに連通する貫通穴が設けられると共に、流れ制御板からは、互いに隣接する最上流列の電池モジュールの間の空間に達するような複数の仕切板がそれぞれの電池モジュールの間の空間に対して立設されて、流れ制御板に設けられる貫通穴が、電池モジュールの一方の側に偏在して設けられ、前記一方の側において、電池モジュールと仕切り板との間隔ｈが、電池モジュールの直径Ｄに対し、０．０４≦ｈ／Ｄ≦０．１２  とされたことを特徴とする電池冷却構造である。
【００１０】
本発明においては、電池モジュールの長さ方向に沿って見た断面における貫通穴の大きさＬが、前記一方の側における電池モジュールと仕切り板との間隔ｈに対し、０．８５≦Ｌ／ｈ≦２．０  とされることが好ましい（第２発明）。
【００１１】
さらに、本発明においては、最上流列の電池モジュールと、2列目の電池モジュールとの間の間隔ｈ２が、電池モジュールの直径Ｄに対し、０．０５≦ｈ２／Ｄ≦０．１９  とされることが好ましい（第３発明）。
【発明の効果】
【００１２】
本発明によれば、仕切板を有する特定の流れ制御板を用いて、最上流列の電池周りの流れを整流するが、流れ制御板には最上流列電池間を仕切るように仕切り板が設けられ、流れ制御板に設けられる貫通穴がそれぞれの電池モジュールの一方の側に偏在して設けられると共に、その側において仕切り板と電池モジュールとの間隔ｈが電池モジュールの直径Ｄに対し、０．０４≦ｈ／Ｄ≦０．１２となるようにされているので、その側の冷却風流れが最上流電池モジュールに巻きつくように流れるようになり、その結果、格子状に配列された電池モジュールの間を流れる冷却風の流れを効果的に蛇行した流れとすることができる。そして、中流、あるいは下流側に配置される電池モジュールの周囲に冷却風がよどむ領域が現れることが抑制され、それら電池モジュールを効果的に冷却でき、組電池を構成する電池の温度を、より効果的に均一化できるという効果が得られる。
【００１３】
さらに、本発明において、第２発明のように、さらに、貫通穴の大きさＬが、前記一方の側における電池モジュールと仕切り板との間隔ｈに対し、０．８５≦Ｌ／ｈ≦２．０となるようにした場合には、この場合には、最上流側電池モジュールの電池表面における電池温度の温度ムラを少なくし、最上流電池モジュール表面の最高温度を下げることもできる。
【００１４】
また、さらに、本発明において、第３発明のように、最上流列の電池モジュールと２列目の電池モジュールとの間の間隔ｈ２が、電池モジュールの直径Ｄに対し、０．０５≦ｈ２／Ｄ≦０．１９となるようにした場合には、最上流の電池モジュールを通過した冷却風流れを、２列目の電池モジュールに巻きつかせるように流すことができて、さらに効果的に２列目の電池モジュールを冷却でき、組電池の温度をより均一化できる。
【図面の簡単な説明】
【００１５】
【図１】本発明の実施形態の電池冷却構造を示す断面図である。
【図２】本発明の実施形態における流れ制御板付近を拡大して示す断面図である。
【図３】本発明における電池モジュール周りの流れを示す模式図である。
【図４】本発明の実施例１における冷却風流れのシミュレーション結果を示す図である。
【図５】本発明の実施例６における冷却風流れのシミュレーション結果を示す図である。
【図６】本発明の実施例９における冷却風流れのシミュレーション結果を示す図である。
【図７】従来例における冷却風流れのシミュレーション結果を示す図である。
【図８】本発明における上段と２段目の電池温度差の低減効果を示すグラフである。
【図９】本発明における上段電池温度ムラの低減効果を示すグラフである。
【図１０】本発明における上段と２段目の電池温度差の低減効果を示すグラフである。
【図１１】本発明の第２、第３実施形態における流れ制御板付近を拡大して示す断面図である。
【図１２】本発明の更に他の実施形態における流れ制御板付近を拡大して示す断面図である。
【図１３】従来の電池冷却構造を示す断面図である。
【発明を実施するための形態】
【００１６】
以下図面に基づいて、本発明の電池冷却構造の実施形態について、ハイブリッド自動車用の組電池を収容する電池ケースを例にして説明する。図１は本発明の電池冷却構造の実施形態の冷却風の流れ方向に沿った断面図である。また、図２は本実施形態の電池冷却構造の流れ制御板付近を拡大して示す断面図である。
【００１７】
箱状の電池ケース１の内部空間には、棒状の電池モジュール２，２が所定の間隔で平行に配置されている。電池モジュール２，２は直列あるいは並列に電気的に接続されて組電池を構成する。本実施形態においては、電池モジュールを構成する電池はニッケル水素バッテリーであり、電池を直列に接続した電池モジュール２は円柱状の棒状の形状となっている。本発明においては特に円柱状の電池モジュールが好ましく使用される。なお、電池モジュールは１つの電池で構成されるものであっても良い。
【００１８】
図１では、図の紙面奥行き方向に電池モジュール２、２が延在するように配置されており、２１本の電池モジュール（もしくはダミーモジュール）が３列×７本の格子状に配置されている。各電池モジュール２，２は、電池ケース１の内面や隣接する電池モジュールとの間に所定の間隔（隙間）を有し、その隙間に冷却風が流れるように、スペーサや支持部材によって、箱状の電池ケース内部に収容、支持されている。本実施形態においては、電池モジュール付近で全体として図の上側から下側に向かって冷却風が流れるようにされており、その意味で、格子状に配列された３列の電池モジュールを、以下、上流側（あるいは上段）電池モジュール、中流（あるいは中段もしくは２段目）電池モジュール、下流側（あるいは下段）電池モジュールと呼ぶことがある。
【００１９】
電池ケース１は金属や合成樹脂により成形された中空の箱状の部材であり、電池ケース１には冷却風導入口１１と冷却風導出口１２が設けられて、電池ケース１の内部空間が冷却風通路となる。そして電池ケース１は、冷却風導入口１１や冷却風導出口１２がダクトや送風ファンなどの周辺部材と接続されて一連の冷却風通路となって、組電池の冷却に使用される。
【００２０】
本実施形態では、冷却風導出口１２の下流側に送風ファン（図示せず）が設けられて、図の左上の冷却風導入口１１の上流側に接続される冷却風ダクト（図示せず）から、冷却風が電池ケース１の内部に流れ込み、電池モジュール２，２と電池ケース１との間の隙間を通りながら電池を冷却して、冷却風導出口１２から図の右下側へと暖められた冷却風が流れ出ていく。
【００２１】
本発明においては、電池ケース１の内部に、電池ケースの内部空間を冷却風導入口側と冷却風導出口側とに仕切り、冷却風の流れをさえぎるように、流れ制御板１３が設けられている。そして、流れ制御板１３は、最上流側（上段）の電池モジュール２よりも上流側となる位置に、即ち全ての電池モジュール（組電池）よりも上流側となる位置に、電池ケース１に対して一体に取り付けられている。
【００２２】
流れ制御板１３は、図２にその詳細な断面形状を示すように、略平板状の制御板本体１３１に、複数の貫通穴（開口穴）１３２、１３２が、電池モジュールの長さ方向に沿って（図２では紙面奥行き方向に）設けられるとともに、電池モジュールの長さ方向に沿う複数の仕切板１３３が制御板本体１３１から立設されて構成されている。
流れ制御板１３によって上流側と下流側に分け隔てられた電池ケース１の内部空間は、これら貫通穴１３２，１３２を介して上流側と下流側が連通するようにされており、下流側に設けられた組電池（電池モジュール２、２）は、これら貫通穴から吹き出る冷却風により冷却される。
【００２３】
本実施形態における流れ制御板１３の構造をより詳細に説明する。制御板本体１３１に設けられる貫通穴１３２，１３２は、それぞれの貫通穴が、電池モジュールの長さ方向に延在するような長穴もしくはスリット状となるように形成されている。これら貫通穴は、それぞれの電池モジュールの全長にわたって設けられる。そして、本実施形態においては、上段の電池モジュールのそれぞれに対して、貫通穴１３２が電池モジュールの中心よりも下流側（図の右側）にオフセットした位置に設けられる。即ち、貫通穴は、全体として、電池モジュールに対して上流側あるいは下流側のいずれか一方の側に偏在して設けられている（本実施形態では、下流側に偏在している）。なお、本実施形態においては、流れ制御板１３の上流側領域では冷却風は図の左側から右側へと流れるため、流れ制御板に設けられる貫通穴の位置については、左側を上流側、右側を下流側と表現している。
【００２４】
さらに、本実施形態においては、全ての上段電池モジュールに対して、貫通穴１３２，１３２がそれぞれの電池モジュールに対し下流側（図２で右側）に偏在するように設けられている。特に、本実施形態においては、貫通穴１３２、１３２は、電池モジュールに対し下流側のみに、仕切り板１３３に隣接した位置に設けられている。
【００２５】
制御板本体１３１に立設される仕切板１３３，１３３について詳細に説明する。仕切り板１３３，１３３は上段電池モジュールの間を仕切るように設けられている。仕切板１３３，１３３は、制御板本体１３１から、上段の電池モジュール２，２の間の空間に向かって、電池モジュールの長さ方向に沿うようなリブ状に立設されている。仕切板１３３，１３３は、上段の電池モジュールの間の空間のそれぞれに対して、上段の電池モジュールの間の空間Ｃに達する程度の長さに設けられる。ここで、空間Ｃとは、上段の互いに隣接する電池モジュールの間の空間のことであり、図２にその領域を点線で囲って示す。本実施形態においては、仕切板１３３，１３３は、上段の電池モジュールの間の領域の全てに対して設けられると共に、仕切板１３３，１３３は、上段の電池モジュールの中心を結ぶ線ｍに達するような長さに設けられている。
【００２６】
そして、仕切板１３３と電池モジュール２との間隔は、貫通穴１３２が偏在して設けられた側における仕切り板１３３と電池モジュール２の間隔ｈが、電池モジュールの直径をＤとして、０．０４≦ｈ／Ｄ≦０．１２、より好ましくは、０．０５≦ｈ／Ｄ≦０．１１となるように設けられる。本実施形態においては、ｈ／Ｄ＝０．０７２とされている。
【００２７】
仕切板１３３の先端部と上段の電池モジュールの中心を結ぶ線ｍとの関係は、先端が中心線ｍに達しない場合には、仕切板１３３先端と線ｍとの間の距離ｄ３が、電池モジュールの半径をｒとして、ｄ３＜ｒ、より好ましくは、ｄ３＜０．５＊ｒ、さらに好ましくは、ｄ３＜０．２＊ｒとなるようにすると良い。ここで、本実施形態のように仕切板１３３の先端部が上段の電池モジュールの中心を結ぶ線ｍと一致するようにしたり、仕切板１３３の先端部が上段の電池モジュールの中心を結ぶ線ｍよりも長く（即ち下流側（図下側）に延在して）設けられることもまた好ましい実施の形態であり、この場合の突き出し量も、前記ｄ３と同様の数値範囲とすることが好ましい。
【００２８】
また、貫通穴１３２の大きさ（電池モジュールの長さ方向に沿って見た断面における貫通穴の寸法）Ｌは、仕切り板１３３と電池モジュール２の間の前記隙間ｈに対し、０．８０≦Ｌ／ｈ≦２．５、より好ましくは、０．８５≦Ｌ／ｈ≦２．０となるように設けられる。本実施形態においては、Ｌ／ｈ＝１．０９とされている。
【００２９】
また、最上流列の電池モジュールと２列目の電池モジュールとの間の間隔ｈ２は、電池モジュールの直径をＤとして、０．０３≦ｈ２／Ｄ≦０．２１、より好ましくは、０．０５≦ｈ２／Ｄ≦０．１９となるように設けられる。本実施形態においては、ｈ２／Ｄ＝０．０８５とされている。
【００３０】
本実施形態における電池モジュールの配列や流れ制御板１３の主要な具体的寸法は以下のとおりである。電池モジュール２，２は３列ｘ７本の格子状に配列され、電池モジュール２の直径は３２ｍｍであり、電池モジュールの中心間の左右の間隔は３９ｍｍとなるように配置されている。
【００３１】
流れ制御板１３は、最上流（上段）の電池モジュール表面から上流側に３ｍｍ隔てた位置に制御板本体１３１が位置するように設けられている。流れ制御板の制御板本体１３１に設けられる貫通穴１３２、１３２の大きさＬ（図２で左右方向）は２．５ｍｍで設けられている。そして、仕切板１３３は、厚さ２ｍｍで立設されて、最上段電池モジュールの中心を結ぶ線ｍに達する位置まで延在している。また、貫通穴が設けられた側（電池モジュールの右側）における電池モジュールと仕切板の間隔ｈは２．３ｍｍとされている。また、最上流列の電池モジュールと２列目の電池モジュールの間の隙間ｈ２は、２．７ｍｍとされている。
【００３２】
上記電池冷却構造を構成する電池ケースの製造方法は、公知の製造方法により行うことができ、例えば、電池ケース１は開口状の箱と蓋に分けたケース部材を合成樹脂（例えばポリプロピレン樹脂）の射出成形により形成することができる。流れ制御板１３も合成樹脂（例えばポリプロピレン樹脂）の射出成形により形成することができ、可能であれば、電池ケース１のケース部材と一体成形してもよい。もちろん、流れ制御板１３を金属板や合成樹脂の射出成形などによりケースとは別体に作成して、電池ケース組み立て時に所定位置に取り付けるようにしてもよい。
【００３３】
電池ケース１内の所定位置に電池モジュールを並べて、電池モジュール間の配線を確立し、流れ制御板を組み込んだ状態で電池ケースの蓋を閉じて、上記実施形態の組電池が収蔵された電池ケースおよび電池冷却構造が完成される。
【００３４】
本発明の電池冷却構造による作用と効果を説明する。
本発明の電池冷却構造においては、電池モジュールに対し偏在するように流れ制御板１３に設けられた貫通穴１３２，１３２と、立設された仕切板１３３，１３３と、円柱状の電池モジュール２，２との相互作用によって、流れ制御板１３よりも下流の流れが、格子状に配置された電池モジュールの間を蛇行するような流れとなるようにできる。
【００３５】
上記実施形態に基づいて説明すると、図３において、図の左上から右側に向かって流れ込んでくる冷却風は、貫通穴１３２，１３２を通過して、電池モジュール２，２が収容された空間に流れ込む。ここで、流れ制御板１３には、仕切板１３３，１３３が上段の電池モジュール間の空間に達するように設けられているため、貫通穴１３２，１３２を通過した冷却風は、電池モジュール２と仕切板１３３，１３３との間の隙間から下流側へと流れていくことになる。
【００３６】
そして、本実施形態においては、上述したように、上段電池モジュールの中心に対して貫通穴が全体として下流側（図２や図３の右側）に偏在するように設けられているため、電池モジュール２と仕切板１３３，１３３との間の隙間から下流側へと流れていく冷却風の流れは、貫通穴が偏在する側（電池モジュールに対し図の右側）が主たる流れとなり、反対側（貫通穴が少ない（もしくはない）側：電池モジュールに対し図の左側）にはあまり冷却風が流れなくなる。
【００３７】
そして、本発明ではさらに、貫通穴が偏在して設けられる側で、電池モジュール２と仕切り板１３３との間の間隔ｈが、０．０４≦ｈ／Ｄ≦０．１２とされているので、電池モジュール２と仕切り板１３３との間から吹き出す冷却風が、最上段電池モジュールに巻きつくように流れて、電池モジュール周りを蛇行する冷却風流れが実現され、上段電池と２段目電池の温度差が低減される。
【００３８】
冷却風流れが蛇行するメカニズムは、以下に説明するように、コアンダ効果の影響が支配的であろうと推察される。即ち、気流を物体表面に沿って流すと、気流が物体の表面形状に沿って曲がろうとする、いわゆるコアンダ効果が生ずる。この効果は上段電池モジュールの側部を通過する気流においても生ずる効果である。ここで、上段の電池モジュール２ｕの両側部を流れる冷却風の主たる流れは、貫通穴が偏在した側の流れであり、その側の電池モジュール２と仕切り板１３３との間の間隔ｈが所定の幅にされているので、その側でコアンダ効果が顕著に現れる。その結果、それぞれの電池モジュールの側部を通過した冷却風流れは、主たる流れの側の冷却風（図中の白抜き矢印で示される流れ）が、上段電池モジュール２ｕ周りに巻きつくように流れるようになる。
【００３９】
そして、上段電池モジュール２ｕ周りに巻きつくように流れた冷却風は、中段の電池モジュール２ｍの上側表面に沿って吹付けられるようになり、今度は、中段の電池モジュール２ｍ周りに巻きつくように流れるようになる。
【００４０】
このようにして、本発明によれば、円柱状の電池モジュールの周りに生ずるコアンダ効果を利用して、上段電池モジュールや中段電池モジュールの周辺に、冷却風が蛇行して流れる流れ場が実現されることになる。
【００４１】
この流れ場の様子を、数値流体シミュレーションにより求めた流速分布図として、図４に示す。図４は、図１に示した第１実施形態の電池冷却構造で行った数値シミュレーションの結果の、図１に破線で囲って示した領域の速度分布である。図中、色の濃い部分が流速の高い領域を、色の薄い部分が流速の低い領域を示している。
【００４２】
シミュレーション結果に示すように、上段の電池モジュールと仕切り板の間から吹き出す冷却風は、貫通穴が偏在する側（上段電池モジュールの右側）が主たる流れとなるように流れている。そして、その側の冷却風流れが、上段電池モジュールに巻きつくように流れて、上段電池モジュールと中段電池モジュールの間を流れ、さらに、中段電池モジュールに巻きつくように流れて、下段電池モジュールに向かい、全体として、冷却風流れが、格子状に配置された電池モジュールの間を蛇行するような流れとなった様子が観察される。
【００４３】
一方、電池モジュールに対し貫通穴が対称に配置されるとともに仕切板も存在しない従来の冷却風制御板を用いた比較例の数値シミュレーションを行うと、図７に示すような流れの解が得られた。図７の比較例の解析結果においては、上段の電池モジュールの間を流れた冷却風流れは、大部分がそのまま中段の電池モジュールの間に流れ込みながらその勢いを失ってしまい、上段電池モジュールと中段電池モジュールの間や、中段電池モジュールと下段電池モジュールの間に、流速が低いよどみ領域が存在しやすいことがわかる。
【００４４】
以上説明したように、本発明によれば、上段電池モジュールや、それに後続する電池モジュールの周りに、格子状に配置された電池モジュールの間を蛇行するような冷却風流れを生じさせることができる。すると、図７の比較例の解析結果に見られたような、電池モジュール間のよどみ領域にも冷却風が効果的に導かれるようになって、特に中段の電池モジュールの周りに冷却風流れを導いて、これら電池モジュールを効率的に冷却できるようになる。
【００４５】
従って、本発明によれば、中段以下の電池モジュール周りの冷却風流れを効果的に改善して、組電池を構成する電池モジュール間の温度差を少なくして、電池温度を効果的に均一化することができる。
【００４６】
また、貫通穴１３２の大きさ（電池モジュールの長さ方向に沿って見た断面における貫通穴の寸法）Ｌが、仕切り板と電池モジュールの間の前記隙間ｈに対し、０．８５≦Ｌ／ｈ≦２．０  となるように設けられていると、電池モジュール間の流れが、効果的に蛇行するようになって、電池温度の均一化に寄与する。
Ｌ／ｈが大きくなりすぎると、貫通穴を偏在して設けた側を流れる主たる冷却風流れと反対側の冷却風流れの差が小さくなって、冷却風の蛇行が起こりにくくなる傾向がある。
逆に、Ｌ／ｈが小さくなりすぎると、冷却風の送風抵抗が大きくなって、電池冷却システム全体の冷却効率が低下しやすくなる。
【００４７】
そして、Ｌ／ｈを０．８５≦Ｌ／ｈ≦２．０という所定範囲に設定すると、上段電池モジュール表面の電池温度の温度ムラを少なくできるという効果も得られる。これは、Ｌ／ｈが適度な範囲にあれば、主たる流れの側の空気流が上段電池の右下側を巻き込むように流れる一方で、上段電池モジュールの左上側にも一定量の冷却風流れを実現し、上段電池モジュールの上側部分も冷却できるからである。即ち、Ｌがｈに比べ小さい場合には、貫通穴を通過した冷却風のかなりの部分が、そのまま、電池モジュールの片側に流れていくのに対し、Ｌがｈに比べ大きくなるに従って、貫通穴を通過した冷却風が電池モジュールの反対側にも流れ込みやすくなる。そして、上段電池モジュールにおける電池の最高温度を下げることができ、温度ムラが少なくなる。
【００４８】
また、最上流列の電池モジュールと２列目の電池モジュールとの間の間隔ｈ２が、電池モジュールの直径をＤとして、０．０５≦ｈ２／Ｄ≦０．１９  となるように設けられていると、冷却風流れが、第２列目の電池モジュールにより効果的に巻きつくようにすることができ、第２列目の電池や第３列目の電池を効果的に冷却して、電池温度の均一化に寄与する。
ｈ２／Ｄが大きすぎると、冷却風流れが第２列目の電池モジュールに巻きつく効果が弱まる傾向がある。逆に、ｈ２／Ｄが小さすぎると、最上段の電池モジュールに巻きつくように流れてきた冷却風流れをブロックしてしまうことになり、冷却風の蛇行流れが邪魔されやすくなる。
【００４９】
電池温度の均一化の効果の確認を行うために、以下に示す実施例、参考例および従来例に対し、数値流体シミュレーションを行うと共に、各電池モジュールに所定の発熱量を設定した、各電池モジュールの冷却温度シミュレーションを実施した。
【００５０】
表１ないし表３には、実施例などの諸元を示す。実施例１は、上述した第１実施形態に対応する実施例であり、実施例２，３及び参考例１，２は、実施例１に対し、電池と仕切り板との間の寸法ｈを変化させた例である（表１）。参考例１、実施例２、実施例１、実施例３、参考例２の順にｈ（ｈ／Ｄ）が大きくなるようにされている。また、従来例は、図７に示したような、仕切り板がなく、貫通穴の偏在もしていない構造における例である。
【００５１】
【表１】
0005744714.tif 000002
【００５２】
実施例４，５，６，７及び参考例３，４は、実施例１に対し、流れ制御板の貫通穴１３３の幅寸法Ｌを変化させた例である（表２）。参考例３、実施例４、実施例１、実施例５、実施例６、実施例７、参考例４の順にＬが大きくなる（すなわちＬ／ｈが大きくなる）ようにされている。
【００５３】
【表２】
0005744714.tif 000003
【００５４】
実施例８，９及び参考例５，６は、実施例１に対し、上段電池モジュールと２段目の電池モジュールとの間の寸法ｈ２を変化させた例である（表３）。参考例５、実施例８、実施例１、実施例９、参考例６の順にｈ２（ｈ２／Ｄ）が大きくなるようにされている。
【００５５】
【表３】
0005744714.tif 000004
【００５６】
電池間を流れる冷却風流れの様子（流れシミュレーションの結果）は、図４に実施例１の結果を、図５に実施例６の結果を、図６に実施例９の結果を、図７に従来例の結果を示している。各実施例においては、冷却風が上段電池モジュールと２段目の電池モジュールの間を縫うように蛇行して流れている様子がわかる。一方で、従来例においては冷却風の蛇行流れがなく、よどんだ領域が２段目の電池周りに広がっている。
【００５７】
それぞれの仕様に対する冷却温度シミュレーションにおいては、上段電池モジュールと２段目電池モジュールの温度差を評価し、同じ冷却風風量・諸元（流れ制御板を除くケース形状、電池直径・配置、発熱量など）で、各仕様間の比較を行った。その結果を表４に示す。表４には、それぞれの仕様における、上段電池モジュールの電池平均温度と２段目電池モジュールの電池平均温度の温度差を示している。また、それぞれの仕様において、所定の冷却風流量を流すために要した圧力損失も示している。
【００５８】
電池の平均表面温度の評価は、図１に示す上段の電池モジュールや中段の電池モジュールに対し、それぞれ、電池モジュールの電池表面温度を電池周方向に平均して、各電池モジュール表面の平均温度を計算し、更に上段電池や中段電池（２段目の電池）でその平均を求めて、上段電池平均温度と２段目電池平均温度を求めた。そして、上段と２段目の電池平均温度の差でもって、上段電池と２段目電池の温度差を評価した。
【００５９】
【表４】
0005744714.tif 000005
【００６０】
表４の解析結果によれば、以下のことがわかる。
実施例、参考例の全てにおいて、従来例と比べ、上段と２段目の間の電池の平均温度差が半減している。即ち、これら実施例参考例の全てに共通するように、０．０４≦ｈ／Ｄ≦０．１２とすることにより、従来例と比べ顕著な電池温度均一化効果が得られることがわかる。
【００６１】
より具体的には、図８のグラフに示すように、実施例１，２，３及び参考例１，２を、従来例と対比すると、ｈ／Ｄを、０．０４≦ｈ／Ｄ≦０．１２とすることで、上段電池と２段目の電池の温度差を従来例と比べ半減できることがわかる。更に、ｈ／Ｄを、０．０５≦ｈ／Ｄ≦０．１１とすれば、上段電池と２段目の電池の温度差を従来例と比べ１／３以下に低減でき、電池温度均一化効果が特に高まることがわかる。
なお、ｈ／Ｄが小さくなりすぎると、圧力損失が増加しやすくなるが、参考例１のようにｈ／Ｄが０．０４よりも大きい範囲にあれば、圧力損失の増加はそれほど大きくない。
【００６２】
表２および表４によって、実施例１，４，５，６，７及び参考例３，４を対比すると、Ｌ／ｈを変化させた際の傾向がわかる。Ｌ／ｈが２．０以下であれば（実施例１，４，５，６，７及び参考例３）、上段と2段目の電池の温度差は小さく（従来例の１／３以下に）保たれる。Ｌ／ｈが２．０を超えると（参考例４）電池温度差が大きくなる傾向がある。
また、Ｌ／ｈが小さくなると通気抵抗が増加する傾向があるが、Ｌ／ｈが０．８５を下回ると（参考例３）通気抵抗の増加が顕著となりやすい。
【００６３】
また、Ｌ／ｈを、０．８５≦Ｌ／ｈ≦２．０とした場合には、上段電池モジュールの温度ムラが小さくなるという追加の効果も得られる。上段電池モジュールの温度ムラは、それぞれの上段電池モジュールにおける周方向の表面温度分布の中での最高温度と最低温度の差を温度ムラとして、温度ムラを上段電池モジュール間で平均することにより評価した。
【００６４】
上段電池の温度ムラについて、図９のグラフに実施例１，４，５，６，７及び参考例３，４を対比した、上段電池温度ムラの評価結果を示す。全体として、Ｌ／ｈが大きいほど、温度ムラが小さくなる傾向がある。そして、０．８５≦Ｌ／ｈ≦２．０という範囲において、電池温度ムラが約３℃以下に小さくなる。また、１．２５≦Ｌ／ｈ≦１．７５という範囲においては、電池温度ムラが約２．５℃以下となり特に小さくなる。
【００６５】
Ｌ／ｈが大きい方が上段電池の温度ムラが小さくなる傾向となる理由は、図４（実施例１）と図５（実施例６）の流れの対比により理解される。Ｌ／ｈが小さいと（図４に対応）、貫通穴を通過してきた流れは、ほとんどが直進し、上段電池モジュールの左上の側には、あまり冷却風が回っていかない。そのため、この部分の冷却が不足しやすくなり、上段電池の温度ムラが大きくなりやすい。一方で、Ｌ／ｈが大きくなると（図５に対応）、貫通穴を通過してきた冷却風流れの一部が上段電池モジュールの左上の側にも流れやすくなり、上段電池モジュールの左上の部分も冷却されやすくなって、温度ムラが小さくなる。図５には、そのような電池左上側を流れる流れが現れている。
【００６６】
電池表面の温度ムラが大きいと、電池寿命が短くなりやすいので、電池寿命向上のためにも、温度ムラを小さくすることが好ましい。従って、Ｌは０．８５≦Ｌ／ｈ≦２．０となるようにするのが好ましく、１．２５≦Ｌ／ｈ≦１．７５となるようにするのが特に好ましい。
【００６７】
図１０のグラフに示したように、実施例１，８，９及び参考例５，６を対比すると、ｈ２／Ｄを、０．０５≦ｈ２／Ｄ≦０．１９の範囲にすると、上段と２段目の電池の温度差を特に小さくできることがわかる。
ｈ２／Ｄが０．０５よりも小さくなると（参考例５）、上段電池と２段目電池の間を冷却風が流れにくくなるため、冷却風が蛇行しにくくなって、上段と２段目の電池の温度差が大きくなる傾向がある。
逆に、ｈ２／Ｄが０．１９よりも大きくなると（参考例６）、上段電池と２段目電池の間を流れた冷却風が２段目電池に巻きつく効果が弱くなって、２段目電池の冷却性が悪くなって、上段と２段目の電池の温度差が大きくなる傾向が現れやすくなる。
【００６８】
図４（実施例１）と図６（実施例９）の流れを対比すると、ｈ２／Ｄが大きい図６（実施例９）よりも、ｈ２／Ｄが小さい図４（実施例１）の方が、上段電池と２段目電池の間を流れた冷却風が２段目電池にしっかり巻きついて流れている。参考例６のようにｈ２／Ｄが０．１９よりも大きくなると、２段目電池への冷却風の巻きつきがもっと弱くなってしまい、２段目電池の冷却が不十分となって、上段と２段目の電池温度差が大きくなるものと考えられる。
【００６９】
本発明は、上記実施形態に限定されるものではなく、種々の改変をして実施することができる。以下に本発明の他の実施形態について説明するが、以下の説明においては、上記実施形態と異なる部分を中心に説明し、同様である部分についてはその説明を省略する。
【００７０】
まず、流れ制御板に設けられる貫通穴の変更例を説明する。流れ制御板に設けられる貫通穴は、上段電池モジュールが並ぶ方向において電池モジュールの中心に対しいずれか一方に偏在するようなものであれば特に限定されない。貫通穴を偏在させる具体的手段は、貫通穴の大きさ、位置、数などの手段で調整して偏在させることができる。
【００７１】
図１１には、流れ制御板に設けられる貫通穴を偏在させる他の構成の例を示す。図１１には上段電池モジュールの周辺部のみ示している。貫通穴は、図１１（ａ）に示すように、電池モジュールの一方の側（図中右側）に多く、他方の側（図中左側）に少なくなるように設けてもよい。本実施形態では、流れ制御板６３には電池モジュールの一方の側に２列の貫通穴６３２を、他方の側に１列の貫通穴６３２を設けている。このようにすれば、数の多い側に貫通穴６３２が偏在したことになり、上記第１実施形態に準ずる効果が得られる。なお、本実施形態のように、複数の貫通穴が設けられる場合には、それぞれの貫通穴の寸法の和を取って、その和を第１実施形態におけるＬと対応させればよい。
【００７２】
あるいは、図１１（ｂ）に示すように、貫通穴７３２の大小により、貫通穴を偏在させるようにしても良い。即ち、図１１（ｂ）の実施形態においては、電池モジュールの一方の側（図中右側）の貫通穴が大きく（幅が広く）、他方の側（図中左側）の貫通穴が小さく（幅が狭く）なるようにされている。
【００７３】
これら実施形態においても、貫通穴が偏在する側（貫通穴が大きい側・数が多い側）において、電池モジュール側部と仕切板の間を流れる冷却風流れが主たる流れとなって、第１実施形態と同様に、冷却風流れが電池モジュールの間を蛇行して、電池温度の均一化が図れる。
【００７４】
第１実施形態の説明においては、貫通穴が電池モジュールの長さ方向に沿ったスリット状に設けられた例を説明したが、貫通穴の形態は、連続したスリット状のものに限定されず、円形状や長円状、矩形状、楕円状、メッシュ状の穴が、電池モジュールの長手方向に沿って連設されるような形態であっても良い。
また、貫通穴の詳細な形態は、例えば、図１１（ａ）の実施形態に示したように、貫通穴の上流側端縁に面取りが施されたような形態であっても良い。あるいは、図１１（ａ）に示したようなＣ面取りのかわりに端縁部にＲをかけたような形態であっても良い。
【００７５】
上記第１実施形態においては、それぞれの電池モジュールにおいて同じ側（図２の右側）に貫通穴が偏在するようにされている。しかしながら、必ずしもこのようにしなければならないわけではない。例えば、図１２には、貫通穴が偏在する方向を、隣接する電池モジュールごとに互い違いにした例と、その際の冷却風流れを模式的に示す。なお、第１実施形態のように、それぞれの電池モジュールにおける貫通穴の偏在配置の方向が揃えられていれば、格子状に配置される電池モジュールの周りで、流速の高い部分と流速の低い部分とが交互に規則的に並ぶようになって、上記した蛇行する流れが規則的かつより明確に現れやすくなる。
【００７６】
また、本発明の第１実施形態においては、仕切板１３３が、上段電池モジュールの中心を結ぶ線ｍまで延在するようにされている。このようにされていると、あるいは線ｍを越えて延在するようにされていると、上段電池モジュールの間を流れる冷却風流れにおいて、それぞれの電池モジュール側部を通過する流れが仕切られたより個別の流れとなるため、電池モジュールの左右で流速の差が現れやすくなって、冷却風流れの蛇行化や電池温度の均一化により効果的である。
【００７７】
３段目以降の電池モジュールの冷却効率を高めるための具体的手段として、公知の冷却風ガイドなどを設けることもでき、特に本発明を限定するものではない。
【００７８】
また、上記実施形態の説明においては、中空箱状の電池ケース１に組電池が収蔵される形態について説明したが、電池ケースの実施形態は、ケース専用に成形された中空箱状のものに限定されるものではなく、電池ケースは、パネル部材やブロック部材などの複数の部材を組み合わせて構成されるものであってもよい。例えば、車体のフロアパネル上に組電池を配置して、組電池を取り囲むように、断熱パネルや電極パネルを設けて、フロアパネルや断熱パネル、電極パネルの間を冷却風通路とした電池ケースを構成するようにすることもできる。このように、本発明における電池ケースには、専用の構成部材で構成された電池ケースのほか、組電池の周辺に配置される部材を利用・兼用して構成される電池ケースを含む。
【００７９】
組電池を構成する電池の種類には、一次電池、二次電池（リチウムイオンバッテリー、ニッケル水素電池、ニッケルカドミウム電池など）、二重電気キャパシタなどが例示できる。電池モジュールは、上記実施形態においては、棒状で特に円柱状のものについて説明したが、完全な円柱状に限定さるものではなく、コアンダ効果により流れの偏向効果が生じうる形状であれば、楕円形状やおむすび形状のような円柱状であってもよい。
【００８０】
また、組電池の電池モジュールが配列される形態は、上記実施形態においては電池モジュール周りの流れの上流から下流にかけて３段の格子状に電池モジュールが配置される例について説明したが、電池モジュールの配列は３段に限定されるものではなく、流れ方向に沿って２段もしくは４段以上の段数にわたるものであっても良い。本発明によれば、特に最上段と最下段の間の中間の段（特に２段目）の電池モジュールの冷却効率を効果的に高めることができる。
【００８１】
組電池が使用される目的・用途も、自動車用に限定されるものではなく、例えば、風力発電装置や太陽電池発電装置などにおいて発電電力を平準化する目的で二次電池が使用される用途など、広い用途に使用される組電池の冷却に本発明は活用できる。  
【産業上の利用可能性】
【００８２】
本発明は、電気自動車やハイブリッド自動車、発電装置などに使用される大容量組電池の冷却に使用することができ、それら組電池を構成する電池を均一に冷却して、電池の性能を効果的に発揮させることができ、産業上の利用価値が高い。
【符号の説明】
【００８３】
１      電池ケース
１１          冷却風導入口
１２          冷却風導出口
１３          流れ制御板
１３１            制御板本体
１３２            貫通穴
１３３            仕切板
２      電池モジュール
５３          流れ制御板
５３２            貫通穴
５３３            仕切板
６３          流れ制御板
６３２            貫通穴
６３３            仕切板
７３          流れ制御板
７３２            貫通穴
７３３            仕切板
【図１】
0005744714.tif 000006
【図２】
0005744714.tif 000007
【図３】
0005744714.tif 000008
【図８】
0005744714.tif 000009
【図９】
0005744714.tif 000010
【図１０】
0005744714.tif 000011
【図１１】
0005744714.tif 000012
【図１２】
0005744714.tif 000013
【図１３】
0005744714.tif 000014
【図４】
0005744714.tif 000015
【図５】
0005744714.tif 000016
【図６】
0005744714.tif 000017
【図７】
0005744714.tif 000018